(57)【要約】【課題】落下時の衝撃などによって蓋が開くことを防止する。【解決手段】携帯型プリンタは、フィルムパック収容開口を備えたプリンタ本体とフィルムパック収容開口を覆う蓋とからなる。蓋は閉じ位置と開き位置との間で回動自在にプリンタ本体に取り付けられている。爪は蓋を閉じ位置に係止させかつ所定の操作を受けて係止を解除する。携帯型プリンタが落下すると、加速度検出回路によって加速度の大きさが検出される。演算回路は加速度検出回路からの加速度信号を基に演算を実行し、演算結果が閾値よりも大きなときにＣＰＵに落下検知信号を送出する。落下が検知されたときにはＣＰＵからの駆動コマンドに応答してモータが駆動し、カム及びレバーが作動して爪が蓋と噛み合った状態にロックされ、蓋が閉じ位置に拘束される。【選択図】図５
2007216565.tif 000002
【特許請求の範囲】
【請求項１】
インスタントフィルムを収容する収容開口が形成され、この収容開口を覆う閉じ位置と前記収容開口を開く開き位置との間で移動する蓋を備えた携帯型プリンタにおいて、
前記蓋を閉じ位置に係止しかつ所定の操作を受けて係止を解除する開閉制御手段と、
落下を検知する落下検知手段と、
前記落下検知手段からの検知信号を受けて、前記開閉制御手段によって閉じ位置に係止された前記蓋を閉じ位置に拘束するロック手段とを備えたことを特徴とする携帯型プリンタ。
【請求項２】
前記蓋はプリンタ本体に開閉自在に設けられ、前記開閉制御手段は、前記蓋と前記プリンタ本体とのうちどちらか一方に設けられた爪と、他方に設けられ前記爪を受け入れる爪受けとを有し、前記爪が前記爪受けと噛み合って前記蓋を閉じ位置に係止しており、
前記ロック手段は、前記爪と前記爪受けとの噛み合いを支持して前記蓋を閉じ位置に拘束することを特徴とする請求項１記載の携帯型プリンタ。
【請求項３】
前記蓋はプリンタ本体に開閉自在に設けられており、
前記ロック手段は、前記蓋と前記プリンタ本体とのうちどちらか一方に設けられた電磁石と、他方に設けられかつ前記電磁石に吸着される吸着部とを有し、前記電磁石を励磁させて前記蓋を閉じ位置に拘束することを特徴とする請求項１記載の携帯型プリンタ。
【請求項４】
前記ロック手段は、前記検知信号を受けた後、一定期間だけ前記蓋を閉じ位置に拘束することを特徴とする請求項１ないし３いずれか１つ記載の携帯型プリンタ。
【発明の詳細な説明】
【技術分野】
【０００１】
本発明は、可搬性を有する携帯型プリンタに関し、さらに詳しくはインスタントフィルムを露光させて画像を記録する携帯型プリンタに関するものである。
【背景技術】
【０００２】
近年、持ち運びが容易な携帯型プリンタが製品化されている。携帯型プリンタには、インクを印刷用シートに吐出して画像を記録するインクジェット方式、印刷シートしてインスタントフィルムを用い、このインスタントフィルムを露光させて画像を記録するインスタントフィルム方式などがあり、インスタントフィルム方式の携帯型プリンタには光学系を介して被写体像をインスタントフィルムに直接記録するものもある。携帯型プリンタには、例えば特許文献１に示すように、印刷シートを収容する収容開口、この収容開口を閉じる閉じ位置と収容開口を開ける開き位置との間で移動する蓋、及びこの蓋を閉じ位置に係止する係止機構とを備えるものがあり、収容開口が蓋によって閉じられることにより収容開口内の印刷シートが保護される。
【０００３】
特に、インスタントフィルム方式の携帯型プリンタで使用されるインスタントフィルムは感光性を有するため予め遮光性のフイルムパック内に収められており、携帯型プインタはこのフイルムパックを収容する収容開口を蓋で光密に覆って、インスタントフィルムを外光から厳重に保護するようになっている。
【０００４】
一方、カメラなど持ち運びが容易な携帯機器では、ユーザが誤って落としてしまった場合に電池など内部に収容されていたものが飛散あるいは露呈してしまうことがあった。例えばカメラでは写真フイルムの収納部が背蓋によって光密に覆われているものが多く、地面に衝突した際に背蓋が開いて写真フイルムが外光に曝されてしまうことがあった。これに対し特許文献２では、落下時の衝撃を検知して背蓋を閉じた状態でロックするカメラが示されている。
【特許文献１】特開平１１−１５７１７０号公報
【特許文献２】特開平６−１９４７２７号公報
【発明の開示】
【発明が解決しようとする課題】
【０００５】
ところで、携帯型プリンタで使用されるインスタントフィルムは写真フイルムと同様に外光に曝されると使用できなくなってしまうが、特許文献１に示されるように閉じ位置にセットされた蓋が爪によって係止されただけでは、ユーザが携帯型プリンタを落としたときの衝撃で蓋が開いてしまうことがあり、これによって収容開口内のインスタントフィルムが外光にさらされて使用できなくなってしまうことがあった。
【０００６】
本発明は上記の事情に鑑みてなされたものであり、その目的は、落下時の衝撃などによって蓋が開くことを防止する携帯型プリンタを提供することにある。
【課題を解決するための手段】
【０００７】
上記の目的を達成するために、本発明の携帯型プリンタでは、インスタントフィルムを収容する収容開口が形成され、この収容開口を覆う閉じ位置と収容開口を開く開き位置との間で移動する蓋によって収容開口が開閉される携帯型プリンタにおいて、蓋を閉じ位置に係止しかつ所定の操作を受けて係止を解除する開閉制御手段と、落下を検知する落下検知手段と、落下検知手段からの検知信号を受けて開閉制御手段によって閉じ位置に係止された蓋を閉じ位置に拘束するロック手段とを備えたことを特徴とする。
【０００８】
また、蓋はプリンタ本体に開閉自在に設けられ、開閉制御手段は、蓋と前記プリンタ本体とのうちどちらか一方に設けられた爪と、他方に設けられ前記爪を受け入れる爪受けとを有し、爪が前記爪受けと噛み合って蓋を閉じ位置に係止しており、ロック手段は、爪と爪受けとの噛み合いを支持して蓋を閉じ位置に拘束することを特徴とする。
【０００９】
また、蓋はプリンタ本体に開閉自在に設けられており、ロック手段は、蓋とプリンタ本体とのうちどちらか一方に設けられた電磁石と、他方に設けられかつ電磁石に吸着される吸着部とを有し、電磁石を励磁させて蓋を閉じ位置に拘束することを特徴とする。
【００１０】
また、ロック手段は、検知信号を受けた後、一定期間だけ蓋を閉じ位置に拘束することを特徴とする。
【発明の効果】
【００１１】
本発明の携帯型プリンタでは、インスタントフィルムを収容する収容開口が形成され、この収容開口を覆う閉じ位置と収容開口を開く開き位置との間で移動する蓋によって収容開口が開閉される携帯型プリンタにおいて、蓋を閉じ位置に係止しかつ所定の操作を受けて係止を解除する開閉制御手段と、落下を検知する落下検知手段と、落下検知手段からの検知信号を受けて、開閉制御手段によって閉じ位置に係止された蓋を閉じ位置に拘束するロック手段とを備えたことにより、落下検知手段によって落下が検知されたときにロック手段によって蓋が閉じ位置に拘束されるため、携帯型プリンタが地面に落下したときに蓋が開くことを防止することができる。特に、蓋がプリンタ本体に開閉自在に設けられ、開閉制御手段は、蓋と前記プリンタ本体とのうちどちらか一方に設けられた爪と、他方に設けられ前記爪を受け入れる爪受けとを有し、爪が前記爪受けと噛み合って蓋を閉じ位置に係止し、ロック手段が爪と爪受けとの噛み合いを支持して蓋を閉じ位置に拘束することにより、落下時に外部から衝撃が付与された場合に爪が爪受けから外れることがなく、蓋を確実に閉じ位置に維持することができる。
【００１２】
また、蓋はプリンタ本体に開閉自在に設けられており、ロック手段は、蓋とプリンタ本体とのうちどちらか一方に設けられた電磁石と、他方に設けられかつ電磁石に吸着される吸着部とを有し、電磁石を励磁させて蓋を閉じ位置に拘束することにより、電磁石に供給する電力を調節して蓋の拘束力を自在に制御することができる。
【００１３】
また、ロック手段は、検知信号を受けた後、一定期間だけ蓋を閉じ位置に拘束することにより、蓋の拘束が衝突前から衝突後にかけて行われるように蓋を選択的に拘束することができ、利便性を高めることができる。
【発明を実施するための最良の形態】
【００１４】
図１に本発明の携帯型プリンタの外観斜視図を示す。図１（ａ）に示すように、携帯型プリンタ２は可搬型であり、通信機能付きの撮影装置から送信される画像データを基にしてインスタントフィルムに画像を記録するものである。撮影装置としては、赤外線通信機能を備えたカメラ付き携帯電話やデジタルカメラなどがあり、これらが携帯型プリンタ２に近接され所定の操作が行われると、赤外線信号を介して携帯型プリンタ側に画像データが送信されるようになっている。
【００１５】
携帯型プリンタ２の上面には、電源をオン／オフするときに押圧操作される電源ボタン４、同一画像の印刷を繰り返す際に押圧操作されるリピートボタン６、後述するインスタントフィルムの残り枚数を表示する表示画面７、内蔵されたバッテリの電圧値が一定以下になったときに発光する警告ランプ８、不具合が生じた際に発光するエラーランプ１０、後述する蓋を開放するときに操作される操作つまみ１２、通信機能付きの撮影装置からの赤外線信号を受光する赤外線受光部１４などが備えられている。
【００１６】
図１（ｂ）に示すように、携帯型プリンタ２の底面には、バッテリを収容するバッテリ収容部（図示省略）を覆う電池蓋１７、後述するフィルムパック収容開口を覆う蓋１９などが備えられている。携帯型プリンタ２の側面にはインスタントフィルム２１を排出する排出口２０が設けられている。図示は省略するが、蓋１９にはフィルムパック収容開口内のフィルムパックを確認するための確認用窓が形成され、この確認用窓からフィルムパックを確認することができるようになっている。
【００１７】
図２に示すように、蓋１９はヒンジ部２２を介してプリンタ本体３に取り付けられている。操作つまみ１２は、蓋１９の回転軸方向で閉じ操作位置と開き操作位置との間でスライド操作される。蓋１９が閉じられた状態では操作つまみ１２は閉じ操作位置にセットされ、操作つまみ１２が開き操作位置にセットされると蓋１９を開くことができる。蓋１９が開かれるとフィルムパック収容開口２３が露呈し、フィルムパック収容開口２３には略直方体形状のフィルムパック２５が収容される。フィルムパック２５は、例えば１０枚のインスタントフィルム２１が遮光性を有する樹脂製のカバーによって覆われたものである。なお、周知のようにインスタントフィルム２１はモノシートタイプのフィルムであり、感光シート、現像液ポッド及びこれらを保持するカバーシートなどからなり、露光された感光シートに形成された潜像が現像液によって顕像化される。
【００１８】
図３（ａ）に示すように、操作つまみ１２は開閉制御手段である爪３０に一体形成され、蓋１９には爪３０と噛み合う爪受け（開閉制御手段）１９ａが形成されている。爪３０は、爪受け１９ａと噛み合う噛合位置と爪受け１９ａから退避した退避位置との間で移動し、操作つまみ１２を操作することで爪３０の移動が制御される。操作つまみ１２が閉じ操作位置にセットされたとき、爪３０は爪受け１９ａに係り、操作つまみ１２が開き操作位置にセットされたときは、爪３０は退避位置にセットされる。爪３０にはバネ３２が掛けられて噛合位置に付勢されている。このため、操作つまみ１２を開き位置までスライド移動させるためにはバネ３２の付勢に抗して操作しなければならず、蓋１９は自然に開かないようになっている。
【００１９】
図３（ｂ）に示すように、爪３０はレバー３７によって噛合位置に支持されるようになっている。レバー３７は支点Ｓを中心に回動可能に設けられており、レバー３７の一端はカム３５に組み合わせられている。カム３５は後述するモータに組み合わせられ、モータが駆動することによってカム３５は回動する。レバー３７は、カム３５によって他端が爪３０に当接しない退避位置と他端が爪３０に当接する当接位置との間で回動され、これによって爪３０のスライド移動が許容もしくは禁止される。レバー３７の他端が爪３０に当接すると、爪３０が噛合位置に保持され、蓋１９が開かなくなる。
【００２０】
図４に示すように、携帯型プリンタ２は、ＣＰＵ５０、ＲＯＭ５２、フィルムパック検出部５４、開閉検知部５６、通信インターフェース５８、ＲＡＭ６０、画像処理部６５、印刷制御部６７、展開部６９、ラインヘッド７１、落下検知手段を構成する加速度検出回路７５及び演算回路７７、モータドライバ７８、モータ７９などを備えている。
【００２１】
ＲＯＭ２２には印刷処理プログラムなど各種プログラムやデータなどが格納され、ＣＰＵ５０はＲＯＭ２２に記憶された印刷処理プログラム等を実行してインスタントフィルムに画像を記録する。また、ＣＰＵ５０はフィルムパック検出部５４から伝送されるフィルムパックの検出信号、及び開閉検知部５６から伝送される検知信号を受けて印刷処理の実行を許可する。
【００２２】
通信インターフェース５８は、赤外線受光部１４が受けた赤外線を復調して画像データを抽出し、抽出された画像データはＲＡＭ６０に伝送されてここで一時的に記憶される。画像処理部６５は、ＲＡＭ６０から伝送される画像データを処理して印刷データを生成する。例えば、画像データは輝度色差信号によって構成されており、画像処理部６５では輝度色差信号を基にしてＲＧＢ信号からなる印刷データが算出される。
【００２３】
ラインヘッド７１は、ＲＧＢ各色の発光体、導光板、液晶シャッタアレイ、レンズ等から構成され、副走査方向に移動可能なように設けられている。発光体からの光は導光板によって進行方向が変換され、導光板からの光量は液晶シャッタアレイによって調節されており、液晶シャッタアレイを通過した光はレンズによってインスタントフィルム２１に焦点が合わせられる。印刷制御部６７は画像処理部６５からの印刷データに基づき、ラインヘッド７１を副走査方向に移動させながら、液晶シャッタアレイのシャッタスピードを制御する。これによって液晶シャッタアレイを通過するＲＧＢ各色の光量が調節され、フルカラーの潜像がインスタントフィルム２１に記録される。
【００２４】
展開部６９は、搬送ローラ等を備え、搬送ローラは潜像が記録された後のインスタントフィルム２１を挟んで排出口２０から排出する。搬送ローラによって挟まれたとき現像液がインスタントフィルム全体に展開され、潜像が顕像化する。
【００２５】
加速度検出回路７５は、例えば、半導体からなり圧電素子にかかるひずみに応答してアナログ電圧信号を出力する３軸加速度センサ、３軸加速度センサからのアナログ電圧信号を増幅するアンプ、増幅されたアナログ電圧信号をデジタル化するコンバータなどを備え、それぞれ互いに垂直に交わるＸ、Ｙ、Ｚ軸の３軸方向で加速度の大きさを検出して各軸方向の加速度の大きさがデジタル信号化された加速度信号を出力する。
【００２６】
演算回路７７は、加速度検出回路７５からの加速度信号を基に演算を実行し、演算結果が予め定められた閾値よりも大きいか否かを比較判定する。演算では、例えば、各軸方向の加速度の大きさが二乗されて和算され、閾値は重力加速度の大きさを基に予め定められている。比較判定の結果、演算結果が閾値よりも大きなとき、演算回路７７はＣＰＵ５０に落下検知信号を伝送し、ＣＰＵ５０は落下検知信号を受けてモータドライバ７８に駆動コマンドを送信する。
【００２７】
モータドライバ７８はＣＰＵ５０からの駆動コマンドを受けてモータ７９に５秒間の期間だけオン信号を伝送し、モータ７９はモータドライバ７８からのオン信号を受けて駆動する。モータ７８としては、例えば高トルク型のステッピングモータが用いられ、モータ７９のロータにはカム３５が軸支されている。オン信号を受けてロータが回動するとこれに伴ってカム３５が回動し、カム３５の回動に応答してレバー３７が爪３０に当接する。レバー３７が爪３０に当接すると爪３０が噛合位置から退避位置へのスライド移動が禁止され、蓋１９が閉じ位置に拘束される。モータドライバ７８からのオン信号の供給は５秒間継続されるため５秒間の期間はレバー３７が爪３０に当接しており、蓋１９は落下の検知から５秒間閉じ位置に拘束される。５秒経過後はオフ信号がモータ７９に供給され、レバー３７は退避位置に回動される。なお、モータドライバ７８及びモータ７９は、カム３５及びレバー３７とともにロック手段を構成する。
【００２８】
本発明の作用について図５のフローチャートを用いて説明する。携帯型プリンタ２は持ち運びが容易であり、ユーザが携帯型プリンタ２を持ち運んでいる際、誤って携帯型プリンタ２を落としてしまうことがある。携帯型プリンタ２が落下したとき、加速度検出回路７５及び演算回路７７によって落下が検知される。ＣＰＵ５０は落下検知信号を受けてモータドライバ７８に駆動コマンドを送出し、モータ７９はモータドライバ７８からのオン信号を基に駆動する。モータ７９が駆動するとカム３５が回動し、カム３５の回動に伴ってレバー３７が爪３０に当接して蓋１９が閉じ位置に拘束される。レバー３７は５秒間爪３０に当接しており、この間、蓋１９は開かなくなる。落下の検知から５秒が経過した後はレバー３７が退避位置に回動し、操作つまみ１２を開き操作位置にスライド移動させて蓋１９を開けることができるようになる。
【００２９】
なお、上記の実施形態では、モータドライバ７８は落下の検知後、５秒間モータ７９へオン信号を供給したが、モータへのオン信号の供給期間はこれに限らない。例えば、落下の検知後３秒間モータに電力を供給してもよい。
【００３０】
また、上記の実施形態ではモータ７９の駆動によってカム３５を回転させてレバー３７を爪３０に当接させたが、レバーの回動方法はこれに限らない。例えば、モータの代わりにソレノイドを用いてもよい。レバーをバネによって退避位置に予め付勢しておき、レバーの一端をソレノイドのプランジャに係合させる。ソレノイドのプランジャが突出することでレバーは退避位置から当接位置に回動され、プランジャが引き込まれることでレバーが退避位置に移動する。このような構成によっても爪を噛合位置に支持することができる。
【００３１】
また、上記の実施形態では、圧電素子にかかるひずみに応答してアナログ電圧信号を出力する３軸加速度センサを備え、加速度検出回路７５からの加速度信号を基にして演算を行い、演算結果が閾値よりも大きいか否かを判定することで落下を検知したが、落下の検知方法はこれに限らず、適宜他の方法を利用してよい。例えば、重力加速度の大きさに近づくに従って、出力される加速度信号が「０」に近づく加速度検出回路と、加速度検出回路からの加速度信号を基に演算を実行して演算結果が予め定められた閾値よりも小さなときに落下検知信号を送出する演算回路とを設けてもよい。このような構成によっても上記の実施形態と同様の効果が得られる。
【００３２】
また、上記の実施形態ではモータ７９が駆動して爪３０の移動が禁止されて蓋１９が閉じ位置に保持されたが、蓋を閉じ位置に保持する方法はこれに限らない。例えば、ロック手段として電磁石及び電磁石に吸着される吸着部を用い、プリンタ本体に電磁石を設け、蓋にマグネットなどの吸着部を設ける。電磁石のコイルへの供給電流は電力制御回路によってオン／オフ制御され、電力制御回路は落下が検知されたときにコイルに電流を供給する。電磁石のコイルが通電して電磁石が励磁されると、蓋に設けられたマグネットが電磁石に吸着されて蓋が閉じ位置に拘束される。このような仕組みによって蓋を閉じ位置に保持することで、コイルに供給する電力を調節することで電磁石の吸着力を変えることができ、蓋を閉じ位置に強固に拘束することができる。また、この方法によれば、落下の検知から蓋のロックまでに必要な期間の短縮化が期待できる。
【００３３】
また、上記の実施形態では、ヒンジ部２２を介して蓋１９がプリンタ本体に開閉自在に取り付けられた携帯型プリンタを示したが、本発明はプリンタ本体に着脱自在に取り付けられる蓋を備えた携帯型プリンタに適用することもできる。
【図面の簡単な説明】
【００３４】
【図１】本発明の携帯型プリンタの表及び裏を斜めから観察した斜視図である。
【図２】蓋が開けられた携帯型プリンタの裏側を観察した斜視図である。
【図３】レバーが爪に当接して蓋を閉じ位置に拘束する機構の概略図である。
【図４】携帯型プリンタの電気的な構成を概略的に示したブロック図である。
【図５】本発明の作用を説明するフローチャートである。
【符号の説明】
【００３５】
２  携帯型プリンタ
３  プリンタ本体
１２  操作つまみ
１９  蓋
１９ａ  爪受け（開閉制御手段）
２１  インスタントフィルム
２３  フィルムパック収容開口
３０  爪（開閉制御手段）
３５  カム（ロック手段）
３７  レバー（ロック手段）
５０  ＣＰＵ
６７  印刷処理部
７１  ラインヘッド
７５  加速度検出回路（落下検知手段）
７７  演算回路（落下検知手段）
７８  モータドライバ（ロック手段）
７９  モータ（ロック手段）
【図１】
2007216565.tif 000003
【図２】
2007216565.tif 000004
【図３】
2007216565.tif 000005
【図４】
2007216565.tif 000006
【図５】
2007216565.tif 000007